(57)【要約】      （修正有）【課題】家庭用石油ストーブなどから発生する炭酸ガスを、手軽に減少させることができる暖房器具用炭酸ガス削減器具を提供する。【解決手段】下側容器体２と、天面に形成した通気孔３２の内がわには、充填する粒状電気石６の径よりも小さいメッシュに規制した金網４を張設、一体化した上側容器体３とからなり、それら下側容器体２と上側容器体３とを密着状に合体する一方、該容器本体１の装填部には、予め上側容器体３下向き凹部容積と同量の粒状電気石６を充填するようにし、容器本体１を水平状に据付けとき、当該装填部内に下側容器体２の上向き凹部相当の遊び空間が形成されるようにする。【選択図】図４
0003157383.tif 000002
【実用新案登録請求の範囲】
【請求項１】
上向き凹部を形成した下側容器体と、同上向き凹部平面形と同一平面形の下向き凹部を有し、該下向き凹部の天面に形成した通気孔の内がわには金網を張設、一体化した上側容器体とからなり、それら下側容器体と上側容器体とを密着状に合体させて装填部付きの容器本体にする一方、該容器本体の装填部には、予め上側容器体下向き凹部容積と同量の粒状電気石を充填するようにし、容器本体を水平状に据付けとき、当該装填部内に下側容器体上向き凹部相当の遊び空間が形成されるようにしたことを特徴とする暖房器具用炭酸ガス削減器具。
【請求項２】
上向き凹部の開口周辺に鍔部を形成した下側容器体と、同上向き凹部平面形と同一平面形で開口周辺に鍔部を形成した下向き凹部を有し、該下向き凹部の天面に形成した通気孔の内がわには、充填する粒状電気石の径よりも小さいメッシュに規制した金網を張設、一体化した上側容器体とからなり、それら下側容器体と上側容器体とを、各凹部開口を相対向状にし、且つ対応する鍔部同士を当接させた上、該鍔部要所要所をボルト、ナットで密着状に合体させて装填部付きの容器本体にする一方、該容器本体の装填部には、予め上側容器体下向き凹部容積と同量の粒状電気石を充填するようにし、容器本体を水平状に据付けとき、当該装填部内に下側容器体上向き凹部相当の遊び空間が形成されるようにしたことを特徴とする暖房器具用炭酸ガス削減器具。
【請求項３】
上方が開放した上向き凹部を有し、該上向き凹部の開口周辺に鍔部を形成した下側容器体と、同下側容器体の上向き凹部平面形と同一平面形で下方が開放して上方がわに膨出させた下向き凹部を有し、該下向き凹部の天面には上下に貫通する通気孔を形成した上、該通気孔の形成された天面の内がわには、充填する粒状電気石の径よりも小さいメッシュに規制した金網を張設、一体化すると共に、当該下向き凹部の開口周辺で、先の下側容器体鍔部に対応する位置に規制して鍔部を形成した上側容器体とからなり、それら下側容器体と上側容器体とを、各凹部開口を相対向状にし、且つ対応する鍔部同士を当接させた上、該鍔部要所要所を、下側容器体の上向き凹部丈よりも長い寸法の袋ナットを下方位にしたボルト、ナットで密着状に合体し、それら袋ナットを脚部とする装填部付き容器本体に形成する一方、該容器本体の装填部には、上側、下側各容器体を合体させる前に、予め上側容器体下向き凹部容積と同量の粒状電気石を充填するようにし、容器本体を、その脚部で据付け状としたとき、当該装填部内に下側容器体上向き凹部相当の遊び空間が形成されるようにしたことを特徴とする暖房器具用炭酸ガス削減器具。
【請求項４】
下側容器体および上側容器体共にステンレス製のものとして形成されてなるものとした、請求項１または２何れか一記載の暖房器具用炭酸ガス削減器具。
【請求項５】
下側容器体は、その上向き凹部の深さが５ｍｍに形成され、上側容器体は、その下向き凹部が１５ｍｍに形成されてなるものとした、請求項１ないし３何れか一記載の暖房器具用炭酸ガス削減器具。
【考案の詳細な説明】
【技術分野】
【０００１】
この考案は、少しでも地球温暖化現象を食い止めて地球環境の保全に寄与することができるようにするため、化石燃料を使用する暖房器具、主として家庭用石油ストーブなどから発生する炭酸ガスを、一般家庭で手軽に減少させることができるようにする暖房器具用炭酸ガス削減器具に関するものであり、その試作、生産、販売、そして使用に係わる分野を中心とし、それらに直接的にも間接的にも係わりを有するか、有することが予測されるその他の分野までと、あらゆる分野を包含するものであって関連しない技術分野はない程である。                                                                                
【背景技術】
【０００２】
（着目点）
ＩＰＣＣ（Intergovernmental Panel on Climate Change…政府間の気候変動に関する研究班の略）が出した第三次報告書では、２１世紀末には１.５℃〜５.８℃気温が上昇するとする地球温暖化現象の報告がなされ、最近でも雪解けが早まって水害が頻発したり、砂漠化が進んでいる現象の一つと看做される、中国本土の黄土平原やゴビ砂漠からの黄砂（こうさ）被害が年々拡大し、九州地方の空港では視界がさえぎられて欠航を余儀なくされるといった難しい問題が発生していることから、その地球温暖化を将来に亘って食い止め、自然豊かな地球を保全していけるようにするため、世界規模での二酸化炭素排出量の削減目標を掲げる「京都議定書」が採択され、世界各国では、その目標達成に様々な取り組みを政策として取り上げており、我が国でも、新政権を担う党首は、国連で早々と地球温暖化対策に、２０２０（平成３２）年までに二酸化炭素（ＣＯ２）など温室効果ガスの排出量を、前政権の６％から「１９９０年比２５％削減」に一気に引き上げるという中期目標を表明して注目を集めているが、この潮流は、既に欧州連合（ＥＵ）は、２００５年から欧州域内排出量取引制度を実施してきており、米国でも、オバマ米大統領新政権下において全国的な排出量取引制度創設の方針を打ち出しているように、最早、人類存亡の課題となっている。
【０００３】
このような地球規模の課題を抱えた昨今、政府が企業にＣＯ２の排出枠を割り当て、企業は、実際の排出量が排出枠を下回れば余った分を売却でき、逆に実際の排出量が排出枠を超えれば、その分だけ買うという排出量取引制度を創設し、企業間においてＣＯ２の排出削減努力を義務付けるようにするという企業の自主的目標を基準にした新たな制度、所謂排出量取引制度を新政権では本格的に導入にする考えのようだが、この地球温暖化現象は、こうした企業における社会的責任として論じられるだけではなく、国民一人一人にとっても重大関心事として非常に認識が高まってきており、少しでもその防止に役立つようにする日常生活の再検討が真剣に検討され、既に実践に移されている事象も多くなっているが、未だ未だ気付かれないまま放置されている日常生活の一つで二酸化炭素発生源となっているものに、冬期間の暖房，特に降雪地帯には欠かせない石油ストーブ（石油ファンヒーター）使用上の対策が挙げられる。
【０００４】
（従来の技術）
これまでの生活は、二酸化炭素を排出することによって豊かさを謳歌することができていたと云えるだけに、この二酸化炭素を排出しないよう規制するとういうことは、生活レベルや考え方も根本的な改革が必要になってくることであり、ここにきて二酸化炭素の削減に繋げようとして意識改革を求められている内容と云えば、例えば「何気なく一日中、点けっ放しにしていたテレビを、こまめに見たい番組だけを見るようにする。」であり、「冷房の温度をいつもの設定よりも１℃高く上げ、暖房の温度をいつもの設定よりも１℃低く設定する。」であり、「別々の場所において暖房や冷房を使わずに、一つの部屋で利用する。」であり、「電子レンジや炊飯器、テレビなどといった家電製品の待機電力をカットする。」、「洗濯をする際に、お風呂の残り湯を有効利用することによって、節水と節電をする。」、「シャワーで使う水やお湯の量を減らし、節水タイプのものを利用したりする。」、「自家用車での移動を公共機関の乗り物へと移行する、自家用車でのアイドリングをしないようにしたり、一時停車するときもこまめにエンジンを止めるようにする。」など、これまで気にも止めていなかった生活行為を、皆が実行することによって生活で消費していた無駄な電力を削減したり、大気中に当たり前に放出してきた排気ガスを減らすよう努めたりすることによって二酸化炭素削減に繋げようとするものであり、それら何れもが今まで続けていた個々の生活を制約し、それら小さなことでも、同じように考える人をドンドン増やすことによって二酸化炭素排出量を減少させていこうとするものであった。                                                                                          
【非特許文献１】（1）インターネット  無料辞書サイト「フリー百科事典ウキペディア」の温室効果ガスの項
【考案の開示】
【考案が解決しようとする課題】
【０００５】
（問題意識）
上述したとおり、従前までに提案のある個々人一人一人が実行可能とする二酸化炭素削減手段は、何れも二酸化炭素の排出を伴う生活の上に豊かな生活を保障されてきたという現代の生活常識を根本から問い直し、地球温暖化を防止するため、即ち、この豊かな地球を守って、将来を担う子供達も、今までと変わらない生活が保障されるようにするためには、多少の不自由さにも耐え、生活自体を二酸化炭素排出量の減少に繋がるようなものに移行させていこうとするもので、勿論、人々の生活が二酸化炭素の排出を伴う生活の上に成り立っている以上、多少の不便も承知で皆の意識を変えていくことの必要性は非常に大切なものと考えるものの、二酸化炭素の排出に繋がるものでも、これまでの使い方をそれ程変更しないでその目的達成可能な手段があるのであれば、それ等も組み合わせ、あるいは、制約せざるを得ない生活習慣の中に組み合わせて一層の効果を期待するという手段として採用するということが考えられてもいい筈である。
【０００６】
（考案の目的）
そこで、この考案は、その考案者が長年に亘って研究し続け、燃焼効率の改善などのいった機械的要素に係わる成果を上げることに成功した電気石（トルマリン）を、その特性から二酸化炭素排出量の減少に役立たせられないものかとの判断に基づき、逸速くその開発、研究に着手し、長期に渡る試行錯誤と幾多の試作、実験とを繰り返してきた結果、今回、遂に新規な構造の暖房器具用炭酸ガス削減器具を実現化することに成功したものであり、以下において、その構成を、図面に示すこの考案を代表する実施例と共に詳述していくこととする。                                                                                        
【課題を解決するための手段】
【０００７】
（考案の構成）
図面に示すこの考案を代表する実施例からも明確に理解されるように、この考案の暖房器具用炭酸ガス削減器具は、基本的に次のような構成から成り立っている。
即ち、上向き凹部を形成した下側容器体と、同上向き凹部平面形と同一平面形の下向き凹部を有し、該下向き凹部の天面に形成した通気孔の内がわには金網を張設、一体化した上側容器体とからなり、それら下側容器体と上側容器体とを密着状に合体させて装填部付きの容器本体にする一方、該容器本体の装填部には、予め上側容器体下向き凹部容積と同量の粒状電気石を充填するようにし、容器本体を水平状に据付けとき、当該装填部内に下側容器体上向き凹部相当の遊び空間が形成されるようにした構成を要旨とする暖房器具用炭酸ガス削減器具である。
【０００８】
この基本的な構成を、より具体的なものとして示せば、上向き凹部の開口周辺に鍔部を形成した下側容器体と、同上向き凹部平面形と同一平面形で開口周辺に鍔部を形成した下向き凹部を有し、該下向き凹部の天面に形成した通気孔の内がわには、充填する粒状電気石の径よりも小さいメッシュに規制した金網を張設、一体化した上側容器体とからなり、それら下側容器体と上側容器体とを、各凹部開口を相対向状にし、且つ対応する鍔部同士を当接させた上、該鍔部要所要所をボルト、ナットで密着状に合体させて装填部付きの容器本体にする一方、該容器本体の装填部には、予め上側容器体下向き凹部容積と同量の粒状電気石を充填するようにし、容器本体を水平状に据付けとき、当該装填部内に下側容器体上向き凹部相当の遊び空間が形成されるようにした構成からなる暖房器具用炭酸ガス削減器具と云うことができる。
【０００９】
そして、これら基本的な構成の暖房器具用炭酸ガス削減器具には、上方が開放した上向き凹部を有し、該上向き凹部の開口周辺に鍔部を形成した下側容器体と、同下側容器体の上向き凹部平面形と同一平面形で下方が開放して上方がわに膨出させた下向き凹部を有し、該下向き凹部の天面には上下に貫通する通気孔を形成した上、該通気孔の形成された天面の内がわには、充填する粒状電気石の径よりも小さいメッシュに規制した金網を張設、一体化すると共に、当該下向き凹部の開口周辺で、先の下側容器体鍔部に対応する位置に規制して鍔部を形成した上側容器体とからなり、それら下側容器体と上側容器体とを、各凹部開口を相対向状にし、且つ対応する鍔部同士を当接させた上、該鍔部要所要所を、下側容器体の上向き凹部丈よりも長い寸法の袋ナットを下方位にしたボルト、ナットで密着状に合体し、それら袋ナットを脚部とする装填部付き容器本体に形成する一方、該容器本体の装填部には、上側、下側各容器体を合体させる前に、予め上側容器体下向き凹部容積と同量の粒状電気石を充填するようにし、容器本体を、その脚部で据付け状としたとき、当該装填部内に下側容器体上向き凹部相当の遊び空間が形成されるようにした構成からなる暖房器具用炭酸ガス削減器具が含まれている。                                            
【考案の効果】
【００１０】
上記のとおりの構成からなるこの考案の暖房器具用炭酸ガス削減器具は、その固有の新規な構成から、次のような顕著な特徴を有している。
先ず第一に、上側、下側各容器体を合体させて形成した容器本体の装填部内に、上側容器体の下向き凹部容積と同量の粒状電気石を充填されたものとし、容器本体を水平状に据付けとき、当該装填部内に下側容器体上向き凹部相当の遊び空間が形成されるようにした暖房器具用炭酸ガス削減器具であることから、この器具を、暖房器具の上など熱の伝播を受けることのできる場所、望ましくは熱風吹出し口からの暖気が直接当たる場所などに静置しておくだけで、同装填部内に詰められている粒状電気石は、暖房器具からの熱を受けて活性化されると、装填されている粒状電気石の上方で上側容器体の下向き凹部天面内がわとの間に遊び空間を確保するようにしてあり、電気石固有の機能であるマイナスイオンや遠赤外線が、上側容器体の素材材質に邪魔をされることもなく、同空間内に盛んに放出され、充満しては通気孔を通過して外部に放散する作用を連続的に繰り返すことができるものとなる。
【００１１】
その結果，この暖房器具用炭酸ガス削減器具を暖房器具の暖房時に併用することにより、電気石から放出する機能の中、マイナスイオンの作用によって二酸化炭素を含む空気を清浄化する一方、暖房器具の発生する熱だけによってもたらされる体感温度が、この遠赤外線放出作用によってかなり増幅されることとなり、同じ燃焼状態でも暖かめに体感されることになる事実から、暖房効果を従来どおりのものとして体感できるようにしたとしても、そのために実際に使用する暖房器具の運転は、その分だけ、即ち、この考案の暖房器具用炭酸ガス削減器具の併用によってもたらされる体感温度改善分だけ燃焼効率を下げて使用できることになり、それは、それまで引き継いできた快適な生活を一時的にも犠牲または抑制して二酸化炭素の削減に寄与するのとは違い、快適な生活を継続したまま二酸化炭素排出量削減の目的達成に繋げることが可能になるという特筆すべき秀れた特徴を発揮し得るものとなる。
【００１２】
特に、下側容器体と上側容器体とを、各凹部開口を相対向状にし、且つ対応する鍔部同士を当接させた上、該鍔部要所要所を、下側容器体の上向き凹部丈よりも長い寸法の袋ナットを下方位にしたボルト、ナットで密着状に合体し、それら袋ナットを脚部とする装填部付き容器本体に形成したものでは、粒状電気石に密着状に接している下側容器体の外表面の略全面が空中に晒される状態の使用を可能とすることから、熱風に晒される位置に据え置いたときなどには、それら熱風が当該外表面にも万遍なく十分に巡ってその熱量を受け、下側容器体内部の粒状電気石に伝播され、電気石の有する機能を効率的に引き出す上で有利に作用することになるという実益的な効果が期待できると共に、熱風に晒されたり、晒されないまでも暖房器具の熱を受ける過酷な使用状態となることに鑑み、容器本体を構成する下側容器体と上側容器体との素材をステンレス製のものとして継続的且つ衛生的な使用が可能になるようにし、さらには、遊び空間としての機能を確保しながら、大きさ的にも重量的にも誰にでも取り扱い上で支障のない最適サイズのものとして、下側容器体が、その上向き凹部の深さを５ｍｍとし、上側容器体は、その下向き凹部丈寸法が１５ｍｍとなるよう設定、形成し、婦女子をはじめ老人にも安全且つ容易に使えるよう配慮してなるものとすることにより、二酸化炭素削減の効果が持続され易くするという実用的な利点がもたらされるものとなる。                                                                    
【考案を実施するための最良の形態】
【００１３】
上記したとおりの構成からなるこの考案の暖房器具用炭酸ガス削減器具の実施に際して、その最良もしくは望ましい形態について説明を加えていくこととする。
容器本体は、その内部に装填部を構成した上、同装填部に粒状電気石を止め置くと共に、装填した粒状電気石が、その上方に遊び空間を確保した状態で所望する箇所に据え置くことができるようにする作用を果たすものであり、後述の粒状電気石を効率的且つ確実に装填できるようにするためと、装填した粒状電気石の上方に所定遊び空間を確保し得るようにするため、下側容器体と上側容器体とに上下二分割したものとなし、所定量の粒状電気石を装填した後で両者を合体するようにすべきであるが、この容器本体を据え置いて使用する際に、その上方に所定の遊び空間を確保できるものであれば、必ずしも上下二分割したものに拘泥する必要はなく、実施例には取り上げてはいないものの、例えば、装填部とする空間に通じる孔を形成し、同所から粒状電気石の所定量を装填するようにしても差し支えはないが、下側容器体と上側容器体とに上下二分割したものの場合には、一々計量しなくても、上側容器体下向き凹部に満杯にする作業だけで所定量の粒状電気石とすることができる、即ち、上側容器体下向き凹部が粒状電気石の軽量枡の機能も兼用することなどの製作上の観点からは望ましい構造のものと云える。
【００１４】
下側容器体は、容器本体の遊び空間を確保するため、上記したとおり、上側容器体下向き凹部に満杯にした粒状電気石が、この上向き凹部に一部落ち込むようにする作用を果たすものであり、したがって、予め設計された深さの上方が開放した上向き凹部で、該上向き凹部の開口周辺に鍔部を形成してなるものに形成されるようにしなければならず、耐久性があって壊れ難い素材であれば特にその素材に限定されるものではないが、使用箇所が熱風に直接晒され続けたり、高熱を受ける箇所に永らく静置されるなど過酷な状態の使用条件に対応でき，衛生的に使用するためには、ステンレス製のものとして形成するのが望ましい。
【００１５】
上側容器体は、上記下側容器体と合体して内部に装填部を確保した容器本体を形成する作用を果たすものであり、既述のとおり、その下向き凹部に粒状電気石を満杯にしさえすれば、この考案の暖房器具用炭酸ガス削減器具が必要とする所定量の粒状電気石となってしまうように予め設計された深さ（高さ）の下向き凹部に形成されたものとしなければならず、先ず、上記した下側容器体の上向き凹部平面形と同一平面形、即ち、後述する実施例のような円形のものとする外、楕円形、矩形、台形その他成形等に支障のない限り自由な平面形で、下方が開放して上方がわに所定の高さに膨出させた下向き凹部で、該下向き凹部の天面には上下に貫通する通気孔を形成した上、これら通気孔の形成された天面の内がわには、充填する粒状電気石の径よりも小さいメッシュに規制した金網を張設、一体化すると共に、当該下向き凹部の開口周辺で、先の下側容器体鍔部に対応する位置に規制して鍔部を形成したものとなし、上記下側容器体と同じ理由によってステンレス製のものとして形成すべきである。
【００１６】
粒状電気石は、電気石（トルマリン）を適宜粒状に粉砕して所定容量のものとすることにより、熱量を受ける表面積ができるだけ大きくなるようにし、電気石特有の機能の享受が積極的に図られるよう配慮したものにするようにし、その機能によって二酸化炭素を含有する空気の清浄化と、何よりも暖房器具と共に使用されることによって体感温度を高め、惹いては暖房器具の燃焼を下げての使用が可能になるように作用するようにしなければならない。
【００１７】
この電気石は、六方晶系菱面体半面晶体に属していて、その多くが柱状の結晶をなしており、その柱面には著しい縦の線がある鉱石であり、硬度７〜７. ５、比重３〜３.
３であって、その組成は、ＸＹ9 Ｂ9 Ｈi6Ｏ27（但し、Ｘは、Ｃa ，Ｎa ，Ｋ，Ｍn に、Ｙは、Ｍg ，Ｆe ，Ｃr ，Ｍn ，Ｔi ，Ｌi に夫々置換される。）として示され、鉄分を多く含む黒色のものから、鉄分が無いか少ないものはその他の成分によって白色、青、緑、赤、紅、褐色、無色を呈するものまでが存在し、その中、紅色で最も高価なブラジル・ルビーや、結晶断面の周辺が緑色で内部がピンク色のウォーターメロン等と称されるもの等は、宝石として珍重がられ、貴電気石と称されて昔から知られてきていた。
【００１８】
ところが、１８８０年、ピエール・キューリーによって圧電現象が見い出されて以降から特異な鉱物質の一つとして注目され、幾つかの特異な機能、例えばマイナスイオンや遠赤外線を放出する機能等についても知られるところとなり、最近ではこの電気石の有する圧電現象以外の機能が注目され始め、それらの応用について、ようやくその研究の緒に着こうとする段階を迎えていると云うことができ、電気石のマイナスイオンの放出機能を使って空気の清浄化に役立たせたり、人体のツボから吸収させ、生体電流となって細胞を活性化しようとする試みが提案されたり、あるいは、遠赤外線放出機能があることから、体温の熱を受けて遠赤外線を放出して人体の毛細管を拡張し、末梢血流を促進して新陳代謝を高め、体質改善や疲労回復に役立つものにしようとする工夫等も報告されている有用鉱物であるが、その各種特性についての追試、解析を長期に渡って継続している中、電気石が保有すると報告されている機能特性、つまり光や温度、圧力、摩擦に反応してマイナスイオンや遠赤外線、微弱静電流等を半永久的に放出し続けるという知見に基づき、それら特性を、二酸化炭素削減に逸早く応用しようとするものである。
以下、上記したこの考案の暖房器具用炭酸ガス削減器具の構成がより一層明確になるよう、その代表的な実施例について説明を加えていくこととする。                                      
【実施例１】
【００１９】
図１の暖房器具用炭酸ガス削減器具の平面図、図２の同正面図、図３の同底面図、図４の暖房器具の上に静置した状態での要部縦図、図５の使用状態を示す斜視図に示す事例は、容器本体１を構成する下側容器体２、上側容器体３共に、ステンレス製のものとして金型成形によって形成してなるものとした、この考案の暖房器具用炭酸ガス削減器具における代表的な一実施例を示すものである。
【００２０】
それら各図からも明確に把握できるとおり、下側容器体２および上側容器体３は、何れもその凹部の開口が直径１００ｍｍとした同じ円形の平面形を有し、両者とも、各開口周縁から外方に鍔部が、一辺１０５ｍｍとする正方形平面となるように形成され、四隅が大きい円弧状に隅取りしたものに形成され、これら隅取りされている円弧状の鍔部２１，２１，……、および３１，３１，……に、夫々が対応するようにしたネジ孔を形成するようにした上、袋ナット５１，５１，……とボルト５２，５２，……とからなる固定手段５で合体されるものとする。
【００２１】
こうして形成される一方の下側容器体２は、直径１００ｍｍの開口から深さ５ｍｍとなる上向き凹部に形成されたものにすると共に、同他方の上側容器体３は、同じく直径１００ｍｍとした開口の上方に、その高さが１５ｍｍとなるよう膨出状にして下向き凹部に形成したものとなし、先ず、下向き凹部を有する上側容器体３を裏返し、その下向き凹部を上向きとなるようにして仮置きした状態にすると、それまでの通気孔３２，３２，……が多数形成され、その内がわに２０ないし３０メッシュの金網４を張設してあった天面が底に位置し、その内がわ（下）にあった金網４が上に位置して通気孔３２，３２，……を塞ぐ状態で、下側にあった開口は上方に位置を変えると共に、当然その鍔部３１，３１，……もその周囲に位置する縁付き容器と化すことから、そこに、金網４の目を潜らない程度の粒度に砕いた粒状電気石６，６，……を、特にその量を計量するまでもなく、いわば無造作に入れていって開口周囲の鍔部３１，３１，……と略同一レベルに収まるようにしさえすれば、予め、この上側容器体３下向き凹部の設定された大きさに見合う量の粒状電気石６，６，……が結果的に計量，装填されることになり、この状態で、今度は、下側容器体２を裏返し、その鍔部２１，２１，……を鍔部３１，３１，……に一致させるようにしてその上に被せてしまう。
【００２２】
その後と、この仮置きされた状態，即ち粒状電気石６，６，……を詰めた上側容器体３が下で、下側容器体２をその上に被せて上に位置させた状態で合致するネジ孔に、袋ナット５１，５１，……とボルト５２，５２，……とからなる固定手段５を使い、ボルト５２，５２，……を上側容器体３の鍔部３１，３１，……下からネジ孔に差し込み、下側容器体２の鍔部２１，２１，……に開けられたネジ孔から突出するボルト５２，５２，……夫々に、予め下側容器体２上向き凹部の深さ５ｍｍよりも大きい外形長さ寸法８ｍｍに設定してある袋ナット５１を次々に螺合することにより、上側容器体３に下側容器体２がしっかりと合体されてその内部に装填部が形成され、所定量の粒状電気石６，６，……がその中に封じ込まれた状態となる。
【００２３】
そうして、この状態で上下を反転させて下側容器体２の上に上側容器体３が位置するこの考案の正常な状態にしても、装填し終えた粒状電気石６，６，……は何処からも零れ出すことは無く、但し、それまで収まっていた上側容器体３の下向き凹部内から、一部、下側容器体２上向き凹部の容積分だけが、この上向き凹部内に落し込む状態となり、上側容器体３の下向き凹部内は、その分だけ粒状電気石６，６，……の位置が下降して収まることにより、上側容器体３下向き凹部天面、金網４から下方、粒状電気石６，６，……表面との間に遊び空間Ｓが、予め設定したとおりの間隔を維持した状態に形成されてなるこの考案の暖房器具用炭酸ガス削減器具が形成される。
【００２４】
（考案の作用）  
上記のようにして形成されたこの考案の暖房器具用炭酸ガス削減器具は、その内部に装填した粒状電気石６，６，……が、暖房器具Ｈの熱を享受してその特性を普く発揮できてこの考案の目的達成を確実たらしめるために、略水平状態での使用を基本とするものであり、したがって、下側容器体２が下に位置し、その上に上側容器体３が合体している状態として暖房器具Ｈに併用すると、暖房器具Ｈからの熱によって粒状電気石６，６，……は活性化することになって、電気石特性を発揮してそれ等粒状電気石６，６，……個々からマイナスイオンの外、暖房器具Ｈの熱源から放出される遠赤外線に比較にならない程の量の遠赤外線を遊び空間Ｓに放出し続けて直ぐに充満することになり、溢れた遠赤外線は、上側容器体３の通気孔３２，３２，……から、暖房器具Ｈを運転し続ける間、絶えず放出して周辺に暖房効果を及ぼすことになる。
【００２５】
その際、下側容器体２上に上側容器体３を合体するための固定手段５の中、袋ナット５１，５１，……は、上記のとおり、その大きさが、下側容器体２上向き凹部の深さ５ｍｍよりも大きい外形長さ寸法８ｍｍに設定してあって、それら袋ナット５１，５１，……によって一体化するようにしてあり、この考案の暖房器具用炭酸ガス削減器具を、その正常姿勢である下側容器体２を下に位置させた姿勢で暖房器具Ｈに併用すれば、自然にボルト５２，５２，……は、下側容器体２の上向き凹部底部よりも下方に突出して脚部として機能することになり、当該上向き凹部底面にも空間が確保されてその面も加温される結果、装填した粒状電気石６，６，……は、略全周からの熱を享受し得ることとなり、粒状電気石６，６，……の電気石特性は一層効率的に発揮されることになる。
【００２６】
（結  び）
叙述の如く、この考案の暖房器具用炭酸ガス削減器具は、その新規な構成によって所期の目的を遍く達成可能とするものであり、しかも製造も容易で、二酸化炭素排出量を減少を簡便、確実に達成することができるから、地球規模で取り組まなければならない問題として、政府機関やその関係機関任せにすることなく、個々人皆が手軽に取り組むことができる有効な二酸化炭素排出量削減手段の一つとして高く評価され、広範に渡って利用、普及していくものになることが予想される。                                                    
【図面の簡単な説明】
【００２７】
図面は、この発明の暖房器具用炭酸ガス削減器具の技術的思想を具現化した代表的な幾つかの実施例を示すものである。
【図１】暖房器具用炭酸ガス削減器具刈払機の平面図である。
【図２】同正面図である。
【図３】同底面図である。
【図４】暖房器具の上に静置した状態での要部縦図である。
【図５】一使用状態を示す斜視図である。
【符号の説明】
【００２８】
１      遊び空間
２      下側容器体
２１    同  鍔部
３      上側容器体
３１    同  鍔部
３２    同  通気孔
４      金  網
４１    同  固定ネジ
５      固定手段
５１    同  袋ナット
５２    同  ボルト
６      粒状電気石
Ｈ      暖房器具
Ｓ      遊び空間  
【図１】
0003157383.tif 000003
【図２】
0003157383.tif 000004
【図３】
0003157383.tif 000005
【図４】
0003157383.tif 000006
【図５】
0003157383.tif 000007